(57)【要約】      （修正有）【課題】吐出部の取り外し時に部品を紛失する恐れが無く、また強い応力を要せず簡便に吐出部の取り外しが可能な機構を有する吐出装置を提供する。【解決手段】吐出口部を有する吐出口部材と、これを覆う本体ケース２５と、吐出口部に着脱可能に設けられ、先端に開口が形成された吐出口キャップ２１２と、吐出口キャップ２１２の外周に係止可能な係止部２１３ａと、本体ケース２５から外部に露出する操作部２１３ｂを有する固定リング２１３と、本体ケース２５内に形成され、固定リング２１３を吐出口キャップ２１２に対して進退可能に収容する収容部２５ｃと、を備え、固定リング２１３は、前記操作部２１３ｂからの操作により収容部２５ｃ内で吐出口キャップ２１２に対して進退して係止部２１３ａによる係止及び該係止の解除を行うことで、吐出口キャップ２１２を吐出口部に着脱可能とする液体吐出装置。【選択図】図６
2017131420.tif 000002
【特許請求の範囲】
【請求項１】
液体を吐出する吐出装置であって、
吐出口部を有する吐出口部材と、
該吐出口部材を覆う本体ケースと、
前記吐出口部に着脱可能に設けられ、先端に開口が形成された吐出口キャップと、
該吐出口キャップの外周に係止可能な係止部を一端側に有するとともに、前記本体ケースから外部に露出する操作部を他端側に有する固定具と、
前記本体ケース内に形成され、前記固定具を前記吐出口キャップに対して進退可能に収容する収容部と、を備え、
前記固定具は、前記操作部の本体ケース側に向かう方向に押し込む操作及び本体ケース外側に向かう方向に引き出す操作により前記収容部内で前記吐出口キャップに対して進退して前記係止部による係止及び該係止の解除を行うことで、前記吐出口キャップを前記吐出口部に着脱可能とする吐出装置。
【請求項２】
前記固定具の後退方向は、下方に向かうに従い基端側に傾斜する方向である請求項１に記載の吐出装置。
【請求項３】
前記収容部は、前記本体ケースに形成される請求項１又は２に記載の吐出装置。
【発明の詳細な説明】
【技術分野】
【０００１】
本発明は、吐出装置に関する。
【背景技術】
【０００２】
従来、公共施設のトイレや洗面所に設置される手洗装置では、手動又は自動で水石けん等の洗浄液や水を手洗装置のボウル部に向けて吐出する吐水装置や洗浄液吐出装置等の吐出装置が知られている。このような吐出装置は、手動で各種動作を行うものであるか、あるいはセンサで物体を検知し、その検出信号に応じてポンプや弁の開閉等を制御することで各種動作を行うものである。
【０００３】
このような吐出装置においては、ノズル等の吐出部に詰まり等が生じた場合にメンテナンスが必要となるため、吐出部を取外し可能な構造としたものが提案されている（例えば、後述の特許文献１参照）。
【先行技術文献】
【特許文献】
【０００４】
【特許文献１】特許第４６５１４２６号公報
【発明の概要】
【発明が解決しようとする課題】
【０００５】
特許文献１に記載された吐出装置は、吐出部をネジで本体に固定するものであるため、メンテナンス時にネジを取り外した際、ネジを紛失する恐れがある。しかし、例えばネジを紛失しないようネジを大きくすると意匠性が低下する問題がある。また、吐出部自体をネジ構造とすることで本体に螺合させて固定する方法も考えられるが、締め付け時にかかる応力により、本体内や吐出部内において使用される樹脂部材が破損する恐れがある。破損を防止するため部材のサイズを大きくすると、吐出口の口径を大きくせざるを得ない等、同様に意匠性が低下する問題が生じる。
【０００６】
本発明は、上記に鑑みてなされたものであり、吐出部の取り外し時に部品を紛失する恐れが無く、また強い応力を要せず簡便に吐出部の取り外しが可能な機構を有する吐出装置を提供することを目的とする。
【課題を解決するための手段】
【０００７】
本発明は、吐出口部（例えば、後述の吐出口部２１１）を有する吐出口部材（例えば、後述の吐出口部材２１）と、該吐出口部材を覆う本体ケース（例えば、後述の本体ケース２５）と、前記吐出口部に着脱可能に設けられ、先端に開口が形成された吐出口キャップ（例えば、後述の吐出口キャップ２１２）と、該吐出口キャップの外周に係止可能な係止部（例えば、後述の係止部２１３ａ）を一端側に有するとともに、前記本体ケースから外部に露出する操作部（例えば、後述の操作部２１３ｂ）を他端側に有する固定具（例えば、後述の固定リング２１３）と、前記本体ケース内に形成され、前記固定具を前記吐出口キャップに対して進退可能に収容する収容部（例えば、後述の収容部２５ｃ）と、を備え、前記固定具は、前記操作部の本体ケース側に向かう方向に押し込む操作及び本体ケース外側に向かう方向に引き出す操作により前記収容部内で前記吐出口キャップに対して進退して前記係止部による係止及び該係止の解除を行うことで、前記吐出口キャップを前記吐出口部に着脱可能とする吐出装置（例えば、後述の液体吐出装置２０）に関する。
【０００８】
前記固定具の後退方向は、下方に向かうに従い基端側に傾斜する方向であることが好ましい。
【０００９】
前記収容部は、前記本体ケースに形成されることが好ましい。
【発明の効果】
【００１０】
本発明によれば、吐出部の取り外し時に部品を紛失する恐れが無く、また強い応力を要せず簡便に吐出部の取り外しが可能な機構を有する吐出装置を提供できる。
【図面の簡単な説明】
【００１１】
【図１】本発明の一実施形態に係る手洗装置の全体斜視図である。
【図２】上記実施形態に係る洗浄液吐出装置の機能を示すブロック図である。
【図３】上記実施形態に係る洗浄液吐出装置の正面図である。
【図４】図３におけるＡ−Ａ断面図である。
【図５】図３におけるＢ−Ｂ断面図である。
【図６】図５におけるＣ−Ｃ断面図である。
【図７】図５におけるＣ−Ｃ断面図である。
【図８】上記実施形態に係る洗浄液吐出装置の分解斜視図である。
【発明を実施するための形態】
【００１２】
以下、本発明の実施形態について図面を参照しながら説明する。なお、本発明は以下の実施形態に限定されるものではない。
本実施形態に係る吐出装置は、例えば鉄道の駅等の公共施設のトイレや洗面所に設置される手洗装置に設置され、人の手等の物体をセンサで検知し、その検知信号に基づいて自動的に水や水石けん等の洗浄液の吐出を行う自動水栓や洗浄液吐出装置等の吐出装置である。
【００１３】
図１は、本発明の一実施形態に係る吐出装置が設けられた手洗装置１の全体斜視図である。
図１に示すように、本実施形態に係る手洗装置１は、吐水装置１０と、洗浄液吐出装置２０と、ボウル３０と、台４０と、を備える。
また、本実施形態に係る手洗装置１は、複数の併設された同一種類の手洗装置のうちの一つである。
【００１４】
吐水装置１０は、吐水装置本体１０ａの先端側に、物体を検知するセンサ１１と、吐水口１２と、を有する。吐水装置１０は、人の手等の物体がセンサ１１の検知範囲内に入ることでセンサ１１が物体を検知すると、自動的に吐水口から水（あるいは湯）を吐出する。
【００１５】
洗浄液吐出装置２０は、洗浄液吐出装置本体２０ａの先端側に、物体を検知するセンサ２３と、吐出口に接続された吐出口キャップ２１２と、とを有する。洗浄液吐出装置２０は、人の手等の物体がセンサ２３の検知範囲内に入ることでセンサ２３が物体を検知すると、自動的に吐出口キャップ２１２から水石けん等の洗浄液を吐出する。なお、この洗浄液吐出装置２０の構成については、後段で詳述する。
【００１６】
ボウル３０は、吐水装置１０から吐水され手洗いに使用された水や、洗浄液吐出装置２０から吐出され手洗いに使用された水石けん等の洗浄液を受けて排出する。ボウル３０の上面にはボウル部本体３１が形成され、ボウル部本体３１の中央の窪みには排水口３２が形成されている。排水口３２は、図示しない排水管と連通している。手洗いに使用され、ボウル３０に吐出された水や洗浄液は排水口３２に導かれ、排水口３２から排水管を通じて下水道等の外部に排出される。
【００１７】
台４０は、ボウル３０の下部に設けられ、図示しない排水管やその他の配管等の設備機器を被覆する。台４０は、その内部が視認されることや、台４０内に配置される設備機器が触れられることを防ぐ。
【００１８】
本実施形態に係る液体吐出装置として、洗浄液吐出装置２０を例に挙げて以下に説明する。
図２は、本実施形態に係る洗浄液吐出装置２０の機能を示すブロック図である。以下、図２を用いて本実施形態に係る洗浄液吐出装置２０の構成について説明する。
【００１９】
図２に示す通り、洗浄液吐出装置２０は、先端側に吐出口キャップ２１２と、人の手等の物体を検知するセンサ２３と、を備える洗浄液吐出装置本体２０ａ（以下、「装置本体２０ａ」という）と、洗浄液供給管６０と、空気供給管７０と、制御部８０と、を有する。
吐出口キャップ２１２は、洗浄液吐出装置２０の吐出口部に接続される部材であり、洗浄液と空気が混合されることで形成される泡を先端部から吐出する。センサ２３は、後述する制御部８０と電気的に接続されており、物体を検知すると検知信号を制御部８０に送信する。
【００２０】
洗浄液供給管６０は、水石けん等の洗浄液が流通する管であり、その下流側端部は装置本体２０ａに接続され、上流側端部は洗浄液を貯留する洗浄液タンク６１に接続されている。なお、図２上、洗浄液タンク６１は単一の装置本体２０ａに接続されているが、パブリック用途であるため実際には複数の装置本体２０ａに接続される。
また、洗浄液供給管６０には洗浄液ポンプ６２が接続されている。洗浄液ポンプ６２は、後述の制御部８０と電気的に接続されており、制御部８０から送信される制御信号に基づいて洗浄液タンク６１に貯留された水石けん等の洗浄液を装置本体２０ａに圧送して供給する。
【００２１】
空気供給管７０は、洗浄液吐出装置本体２０ａに洗浄液の泡を形成するための空気を供給する管であり、その下流側端部は装置本体２０ａに接続され、上流側端部はエアポンプ７１に接続されている。エアポンプ７１はモータ等の駆動部を有し、駆動部を駆動させることで空気を圧縮し、空気供給管７０を通じて空気を下流側に圧送する。エアポンプ７１は後述の制御部８０と電気的に接続されており、制御部８０から送信される制御信号に基づいて空気を洗浄液吐出装置２０本体に供給する。
【００２２】
制御部８０は、マイコン等を搭載した回路基板により構成される。制御部８０は、センサ２３からの検知信号に基づき洗浄液ポンプ６２及びエアポンプ７１に制御信号を送信し、装置本体２０ａへの洗浄液及び空気の供給の有無を切り替えるように制御する。具体的には、制御部８０は、一度センサ２３から検知信号を受信すると洗浄液ポンプ６２及びエアポンプ７１を所定時間動作させ、動作終了後、一定時間はセンサ２３から検知信号を受信しても洗浄液ポンプ６２及びエアポンプ７１の動作を行わないような制御を行う。
【００２３】
次に、図３〜図６を用いて本実施形態に係る洗浄液吐出装置２０の内部構造について詳しく説明する。
図３は、洗浄液吐出装置２０の正面図である。図３に示す通り、洗浄液吐出装置２０の正面からは、後述する固定リング２１３がわずかに視認できる。
図４は、図３におけるＡ−Ａ断面図であり、図５は、図３におけるＢ−Ｂ断面図である。
【００２４】
図４及び図５に示す通り、洗浄液吐出装置２０は、吐出口部材２１と、接続部材２２と、センサ２３と、固定部材本体２４１及びナット２４２を含む固定部材２４と、本体ケース２５と、洗浄液供給管６０と、空気供給管７０と、を備える。
また、装置本体２０ａは、このうち吐出口部材２１と、本体ケース２５と、を含む。
【００２５】
吐出口部材２１は、先端に吐出口部２１１が形成され、内部に洗浄液（空気と混合された泡状のものを含む）の流通路２１７を有する。また、吐出口部材２１は、後述のセンサ２３を保持するセンサ収容部２１６を有する樹脂製の部材である。
吐出口部２１１は流通路２１７に通じる筒状に形成された箇所であり、先端に吐出口キャップ２１２が接続される。吐出口キャップ２１２は、洗浄液が吐出される先端に開口が形成された部材であり、吐出口部２１１における軸方向の移動が規制されるように固定具としての固定リング２１３により保持される。吐出口キャップ２１２の内部にはメッシュ部材２１４が収容されている。メッシュ部材２１４は、空気と混合され、泡状となった水石けん等の洗浄液を更にきめ細かな泡とするために用いられる。
吐出口部２１１の外周にはＯリング２１１ａが装着され、吐出口キャップ２１２はＯリング２１１ａを介して吐出口部２１１と完全に密着するため洗浄液の液漏れが防止される。
【００２６】
また、吐出口部材２１は、後述の接続部材２２と接続される。吐出口部材２１における吐出口部材２１と接続部材２２との接続部２１５は流通路２１７に通じる筒状に形成された箇所であり、外周にはＯリング２１５ａが装着されている。吐出口部材２１はＯリング２１５ａを介して接続部材２２と完全に密着するため洗浄液の液漏れが防止される。
【００２７】
以上説明した構成を有する吐出口部材２１によれば、洗浄液は接続部材２２との接続部２１５を通じて吐出口部材２１に供給され、吐出口部材２１内の流通路２１７を通じて吐出口部２１１から吐出口キャップ２１２側に供給される。
なお、流通路２１７は内部で屈曲した構造を有し、接続部２１５に通じる水平方向に延びる上流側の流路と、吐水口キャップ２１２に通じる斜め下方向に延びる下流側の流路とからなる。従って、吐出口部２１１や吐出口キャップ２１２に曲部を設けることなく、即ち、装置本体や吐出口に曲部を設けることなく、洗浄液を斜め下方向に吐出することができる。
【００２８】
また、吐出口部材２１には後述のセンサ２３を収容して保持するセンサ収容部２１６が設けられる。センサ収容部２１６は後述の本体ケース２５における傾斜面部２５ａにおいて開口するように形成され、センサ２３とほぼ同じ形状及び大きさの凹部形状を有する。センサ収容部２１６にセンサ２３が挿入されることでセンサ２３は吐出口部材２１内に保持される。
また、センサ収容部２１６は、傾斜面部２５ａから基端側に向かい上方に傾斜しており、その水平方向に対する傾斜角度は吐出口キャップ２１２の水平方向に対する傾斜角度とほぼ等しい。従って、後述するセンサ２３からの出射光の出射角度と、吐出口キャップ２１２から吐出される洗浄液の吐出角度とはほぼ等しい。
【００２９】
接続部材２２は、上流側に洗浄液供給管６０及び空気供給管７０が接続され、下流側に吐出口部材２１が接続され、内部に洗浄液及び空気の流通路を有する樹脂製の部材である。また、接続部材２２は、洗浄液供給管６０及び空気供給管７０との接続箇所の下流側に洗浄液と空気を混合させる混合部２２１を備える。
【００３０】
また、接続部材２２における、接続部材２２と吐出口部材２１との接続部２２２は、嵌合部２２２ａを有し、嵌合部２２２ａが吐出口部材２１の接続部２１５の外周に形成された溝部２１５ｂと嵌合することで、吐出口部材２１と接続部材２２とが接続される。
【００３１】
なお、吐出口部材２１に形成された吐出口部２１１の口径は洗浄液の吐出に勢いをつけるため、ある程度の狭さを要する。一方、接続部材２２に形成される混合部２２１は洗浄液と空気を混合させるため、ある程度の広さを有する空間を要する。即ち、これらの大きさの関係上、吐出口部材２１及び接続部材２２を一体の部材として成型することは困難であり、これらの樹脂部材は通常、本実施形態におけるように、個別に成型した後に接続して使用される。
【００３２】
センサ２３は、赤外線センサや光電センサ、電波センサ等人の手等の物体が検知範囲内に入ることで人の手等の物体を検知するセンサであり、本実施形態においては発光部と受光部を有する赤外線式測距センサが用いられる。赤外線式測距センサは、発光部から光を出射し、出射した光による人の手等の被検知物からの反射光を受光部で受光し、所定の検知範囲内に被検知物があるか否かを検知する。
センサ２３は、略直方体形状を有し、吐出口部材２１に設けられたセンサ収容部２１６に収容される。センサ２３は、発光部から発光する光及び受光部により受光する光が通過する光透過面２３１を有し、センサ２３は吐出口部材２１に収容された状態において光透過面２３１のみが、後述の傾斜面部２５ａの一部を構成する化粧カバー２５ａ１の開口から外部に露出する。
【００３３】
固定部材２４は、装置本体２０ａを壁Ｗ等に固定する部材であり、固定部材本体２４１と、ナット２４２と、を含む。
固定部材本体２４１は、雄ねじ部が外周側に形成された円筒部２４１ａと、円筒部２４１ａよりも大きな外径を有するフランジ部２４１ｂとからなる金属製の部材である。固定部材本体２４１は、円筒部２４１ａとフランジ部２４１ｂの端部においてそれぞれ開口する中空部分を内部に有する。該中空部分を介し、洗浄液供給管６０及び空気供給管７０が装置本体２０ａに挿通される。
【００３４】
ナット２４２は内側に固定部材本体２４１の雄ねじ部と螺合可能な雌ねじ部が形成された円環状の金属部材であり、固定部材本体２４１と螺合させて固定部材本体２４１のフランジ部２４１ｂとの間に壁Ｗを挟み込み、締め付けることで洗浄液吐出装置２０は壁Ｗに固定される。また、ナット２４２は後述の止めネジ２５１により装置本体２０ａと係合する。
ナット２４２と壁Ｗとの間にはワッシャー２４３が挿入される。ワッシャー２４３は略円形の開口部を有する部材であり、固定部材本体２４１の円筒部２４１ａに装着可能な部材である。ワッシャー２４３は固定部材本体２４１の円筒部２４１ａに装着され、ナット２４２と壁Ｗとの間に挿入されることでナット２４２の回転が防止される。
【００３５】
本体ケース２５は、先端部に傾斜面部２５ａを有する略円筒状の金属部材であり、吐出口部材２１等、取付面Ｗ１に対し表側に配置される部材を覆い、内部に収容する。本体ケース２５は、止めネジ２５１がナット２４２と係合することにより固定される。
本体ケース２５の先端部における傾斜面部２５ａ及び基端部２５ｂは開口しており、傾斜面部２５ａの一部は化粧カバー２５ａ１から構成される。化粧カバー２５ａ１は、本体ケース２５に係止されており、化粧カバー２５ａ１に設けられた開口部からはセンサ２３の光透過面２３１及び吐出口部２１１に接続された吐出口キャップ２１２が露出しており、基端部は取付面Ｗ１と当接している。従って、洗浄液吐出装置２０の外観の大部分は本体ケース２５で覆われている。洗浄液吐出装置２０はノズルや本体に曲部を設けることなく構成され、取付面Ｗ１からの延出長さであるＬ寸法が小さく、直線的でコンパクトな外観を有する。
【００３６】
また、本体ケース２５には収容部２５ｃが設けられている。収容部２５ｃは、本体ケース２５の内側に向けて大きく開口し、外側に向けて小さく開口する孔部である。収容部２５ｃは、固定リング２１３を吐出口キャップ２１２に対して進退可能に収容し、固定リング２１３が装置本体２０ａから脱落することを防ぐ。なお、収容部２５ｃは本体ケース２５の内部に設けられるものであればよいが、本体ケース２５に設けられることが好ましい。
この固定リング２１３と収容部２５ｃによる吐出口キャップ２１２の保持機構に関しては後段で詳述する。
【００３７】
洗浄液供給管６０は、水石けん等の洗浄液を装置本体２０ａに供給する、例えばプラスチック製のチューブ等、可撓性を有する部材である。洗浄液供給管６０の下流側端部は、接続部材２２に形成された接続部２２３ａと係合することで接続部材２２と接続される。
【００３８】
空気供給管７０は、洗浄液の泡を形成するための空気を装置本体２０ａに供給する、例えばプラスチック製のチューブ等、可撓性を有する部材である。空気供給管７０の下流側端部は、継手７２を介し接続部２２３ｂと接続される。継手７２の一方は接続部２２３ｂと螺合することで接続部２２３ｂと接続され、継手７２の他方は空気供給管７０の内径に応じた凸部形状を有し、空気供給管７０の内周部と係合することで空気供給管７０と接続される。
なお、継手７２の一方の先端には逆止弁７３が設けられており、逆止弁７３により、洗浄液供給管６０から接続部材２２に供給される洗浄液の空気供給管７０への逆流が防止される。
【００３９】
次に、本実施形態に係る吐出口キャップ２１２の保持機構について説明する。
図６及び図７は、図５におけるＣ−Ｃ断面図である。
図６は固定リング２１３が吐出口キャップ２１２に係止された状態を示し、図７は固定リング２１３と吐出口キャップ２１２との係止状態が解除された状態を示す。
【００４０】
図６及び図７に示す通り、固定リング２１３は、一端側に互いに対向し開口部を備える一対の係止部２１３ａを有し、他端側に操作部２１３ｂを有する弾性変形可能な金属製の部材である。固定リング２１３は、操作部２１３ｂの本体ケース側に向かう方向に押し込む操作及び本体ケース外側に向かう方向に引き出す操作（以下、「進退操作」という場合がある）により吐出口キャップ２１２を吐出口部２１１に着脱可能とする。このような固定リング２１３は、例えば板状の金属部材を折り曲げ成形して得られる。
係止部２１３ａは、互いに接近及び離隔する方向に弾性変形が可能であり、係止部２１３ａの開口部の幅は吐出口キャップ２１２に形成された溝部２１２ａの幅よりも狭い。固定リング２１３を装置本体２０ａ側に押し込む方向に力を加えることで、係止部２１３ａが弾性変形し、吐出口キャップ２１２に形成された溝部２１２ａに係止される。これにより、吐出口キャップ２１２の移動が規制され、該係止状態が解除されることで移動の規制が解除される。このような係止状態と係止状態の解除が可能となるよう、固定リング２１３は吐出口キャップ２１２に対して進退可能に収容部２５ｃに収容される。
【００４１】
操作部２１３ｂは、Ｕの字状に形成される。また、係止部２１３ａの幅は操作部２１３ｂの幅よりも大きく、係止部２１３ａと操作部２１３ｂとの間には段部が設けられている。操作部２１３ｂは、本体ケース２５に設けられた収容部２５ｃにおける開口２５ｃ１を通じ外部に露出する。なお、「露出する」とは、外部から操作可能に視認できることを示す。
人が工具等を操作部２１３ｂに引っ掛けて、装置本体２０ａから固定リング２１３を引き出す力を加えることで、固定リング２１３が弾性変形し、吐出口キャップ２１２に形成された溝部２１２ａと固定リング２１３における係止部２１３ａとの係止状態が解除される。一方、吐出口キャップ２１２と固定リング２１３との係止状態が解除された状態において、人が操作部２１３ｂに対し本体側に押し込む力を加えることで、固定リング２１３が弾性変形し、係止部２１３ａは吐出口キャップ２１２に形成された溝部２１２ａに係止される。
なお、本実施形態において、係止状態における操作部２１３ｂは、開口２５ｃ１から本体ケース２５外側にわずかに突出しているため、人が操作しやすい。
【００４２】
図６におけるように、固定リング２１３が装置本体２０ａ側に押し込まれると、吐出口キャップ２１２に形成された溝部２１２ａに固定リング２１３の係止部２１３ａが係止され、吐出口キャップ２１２の軸方向への移動が規制される。吐出口キャップ２１２は吐出口部２１１に接続されているため、この状態では吐出口キャップ２１２の全ての方向への移動が規制されており、吐出口キャップ２１２は装置本体２０ａに固定されている。
【００４３】
これに対し、図７は固定リング２１３が装置本体２０ａから引き出された状態を示し、吐出口キャップ２１２と固定リング２１３の係止部２１３ａとの係止状態が解除されている。かかる状態においては、吐出口キャップ２１２の軸方向への移動が自由に行えるため、人は容易に吐出口キャップ２１２を洗浄液吐出装置２０から取り外すことができる。また、かかる状態においても、固定リング２１３は係止部２１３ａと操作部２１３ｂとの間に設けられた段部が収容部２５ｃに当接することで収容部２５ｃ内に係止され、装置本体２０ａ外部に脱落することはない。
【００４４】
図８は、本実施形態に係る洗浄液吐出装置２０から吐出口キャップ２１２を取り外した場合における分解斜視図である。
図８に示す通り、固定リング２１３を装置本体から引き出し、吐出口キャップ２１２と係止部２１３ａとの係止状態を解除することで吐出口キャップ２１２を洗浄液吐出装置２０から取り外すことができる。
本実施形態において吐出口キャップ２１２の内部にはメッシュ部材２１４が収容されている。メッシュ部材２１４は洗浄液と空気とが混合された泡が流通する部材であるため、泡が乾燥することで詰まり等の不具合が発生しやすく、定期的なメンテナンスが必要とされる。人は吐出口キャップ２１２を取り外すことで容易にその内部に収容されたメッシュ部材２１４を取り外してメンテナンスを行うことができる。
【００４５】
また、固定リング２１３の操作部２１３ｂの後退方向は図８に示す通り下方に向かうに従い基端側に傾斜する方向である。即ち、本体ケース２５の外周面に対し、固定リング２１３は傾斜した状態で収容部２５ｃに収容されている。このため、洗浄液吐出装置２０の使用者からは操作部２１３ｂが視認しにくいが、傾斜面部２５ａに対向して洗浄液吐出装置２０のメンテナンスを行う人間にとって、操作部２１３ｂは視認しやすくアプローチしやすい場所に位置する。
【００４６】
次に、本実施形態に係る洗浄液吐出装置２０の動作について図２を用いて説明する。
人が装置本体２０ａに手を近づけ、センサ２３の検知範囲内に人の手が入るとセンサ２３により検知信号が制御部８０に送信される。検知信号を受信した制御部８０は、制御信号を洗浄液ポンプ６２及びエアポンプ７１に送信する。制御信号を受信した洗浄液ポンプ６２は、洗浄液タンク６１に貯留された洗浄液を、洗浄液供給管６０を通じて装置本体２０ａに圧送して供給する。同様に制御信号を受信したエアポンプ７１は駆動部を駆動させることで空気を圧縮し、空気供給管７０を通じて空気を装置本体２０ａに供給する。装置本体２０ａに供給された洗浄液及び空気は装置本体２０ａ内部において混合され、泡となって吐出口部に接続された吐出口キャップ２１２の先端から吐出される。そして、所定時間が経過すると吐出が停止される。
【００４７】
以上説明した本実施形態に係る洗浄液吐出装置２０によれば、以下のような効果を奏する。
洗浄液吐出装置２０を、吐出口部材２１の先端側に形成された吐出口部２１１に着脱可能に設けられ、先端側に開口が形成された吐出口キャップ２１２と、吐出口キャップ２１２の外周に係止可能な係止部２１３ａを一端側に有し、他端側に本体ケース２５から外部に露出する操作部２１３ｂを他端側に有する固定リング２１３と、本体ケース２５内に形成され、固定リング２１３を吐出口キャップ２１２に対して進退可能に収容する収容部２５ｃを備えて構成し、固定リング２１３は、操作部２１３ｂからの操作により収容部２５ｃ内で吐出口キャップ２１２に対して進退して係止部２１３ａによる係止及び該係止の解除を行うことで、吐出口キャップ２１２を吐出口部２１１に着脱可能なものとした。
これにより、吐出口キャップ２１２の取り外し時に固定リング２１３を紛失することが無く、且つ、強い応力を要することなく簡便に吐出口キャップ２１２を取り外すことができる。
【００４８】
洗浄液吐出装置２０において、固定リング２１３の後退方向を、下方に向かうに従い基端側に傾斜する方向とした。これにより、洗浄液吐出装置２０の使用者からは固定リング２１３における操作部２１３ｂが視認しづらく、洗浄液吐出装置２０の外観をすっきりとした意匠性の高いものとすることができる。また、洗浄液吐出装置２０のメンテナンスを行う人間にとって操作部２１３ｂは視認しやすく、また操作しやすいため、洗浄液吐出装置２０のメンテナンス性を高めることができる。
【００４９】
また、固定リング２１３を収容する収容部２５ｃを、本体ケース２５に形成した。これにより、新たな部材の追加を要することなく収容部２５ｃを形成することができる。
【００５０】
本発明は上記実施形態に限定されるものではなく、本発明の目的を達成できる範囲での変形、改良等は本発明に含まれる。
例えば、上記実施形態においては液体吐出装置を洗浄液吐出装置２０として説明したが、これに限定されず、本発明が適用可能な液体吐出装置としては吐水装置であってもよい。
【００５１】
また、上記実施形態においては洗浄液吐出装置２０はセンサ２３を備え、物体を検知して自動で洗浄液を吐出する構成となっているが、これに限定されず、洗浄液吐出装置２０は手動操作により洗浄液の吐出動作を行うものであってもよい。
【００５２】
また、本実施形態においてメンテナンスを要する部材として吐出口キャップ２１２の内部に収容されるメッシュ部材２１４を用いて説明したが、これに限定されず、メンテナンスを要する部材としては吐出口キャップ２１２そのものであってもよいし、吐出口キャップ２１２を取り外すことでメンテナンスが可能となるいかなる部材であってもよい。
【００５３】
また、上記実施形態において吐出口キャップ２１２を保持する固定リング２１３を、弾性力を有する金属材料を用いて構成し、固定リング２１３が弾性変形することで吐出口キャップ２１２に形成された溝部２１２ａに係合し、吐出口キャップ２１２を保持するものとして構成したが、これに限定されず、進退操作により保持状態とその解除を繰り返し行うことが可能な方法であれば固定具はいかなる方法で吐出口キャップ２１２を保持するものであってもよい。
また、固定リング２１３を、弾性力を有する金属材料等を用いて構成した場合であっても、その形状等は特に制限されず、進退操作により吐水口キャップ２１２に対する係止状態とその解除の繰り返しが可能な構造であればよい。保持の方法も挟み込みによる固定には限定されず、例えば吐水口キャップ２１２の一部に固定リング２１３を引っ掛けることで保持するものであってもよい。
【００５４】
また、上記実施形態においては、操作部２１３ｂは、本体側に押し込まれた状態において収容部２５ｃにおける開口２５ｃ１からわずかに突出しているが、これに限られず、操作部２１３ｂは外部から操作可能に視認できる状態であればよい。例えば操作部２１３ｂが本体側に押し込まれた状態において収容部２５ｃに収容され、開口２５ｃ１から突出しないものであってもよい。
【００５５】
また、上記実施形態においては洗浄液吐出装置２０を壁に固定した構成となっているが、これに限定されず、洗浄液吐出装置２０は台付きであってもよい。
【００５６】
また、上記実施形態においては複数の洗浄液吐出装置２０が単一の洗浄液タンク６１から洗浄液の供給を受ける構成となっているが、これに限定されず、単一の洗浄液吐出装置が単一の洗浄液タンクから洗浄液の供給を受けるように構成してもよい。
【符号の説明】
【００５７】
２０      洗浄液吐出装置
２１      吐出口部材
２１１    吐出口部
２１２    吐出口キャップ
２１３    固定具（固定リング）
２１３ａ  係止部
２１３ｂ  操作部
２５      本体ケース
２５ｃ    収容部
【図１】
2017131420.tif 000003
【図２】
2017131420.tif 000004
【図３】
2017131420.tif 000005
【図４】
2017131420.tif 000006
【図５】
2017131420.tif 000007
【図６】
2017131420.tif 000008
【図７】
2017131420.tif 000009
【図８】
2017131420.tif 000010